(57)【要約】【課題】コメントの収集量にばらつきが出ず、コメントに関する話題を他の利用者と十分に共有できる情報処理システムを提供する。【解決手段】情報処理装置と公衆によって利用可能なサーバ装置とがネットワークを介して接続された情報処理システムであって、サーバ装置は、ユーザにより作成され、分類のためのメタ情報が付加されたコメントを受信する手段と、受信されたコメントを情報処理装置に送信する手段と、を含み、情報処理装置は、コメントを受信する手段と、所定の第１のメタ情報が含まれる受信されたコメントを表示する手段と、表示されたコメントに含まれる第２のメタ情報を抽出する手段と、抽出された第２のメタ情報が含まれる新たなコメントを受信する手段と、受信された新たなコメントを表示する手段と、を含む。【選択図】図４
2014175902.tif 000002
【特許請求の範囲】
【請求項１】
情報処理装置と公衆によって利用可能なサーバ装置とがネットワークを介して接続された情報処理システムであって、
前記サーバ装置は、
ユーザにより作成され、分類のためのメタ情報が付加されたコメントを受信する手段と、
前記受信されたコメントを前記情報処理装置に送信する手段と、
を含み、
前記情報処理装置は、
前記コメントを受信する手段と、
所定の第１のメタ情報が含まれる前記受信されたコメントを表示する手段と、
前記表示されたコメントに含まれる第２のメタ情報を抽出する手段と、
前記抽出された第２のメタ情報が含まれる新たなコメントを受信する手段と、
前記受信された新たなコメントを表示する手段と、
を含むことを特徴とする情報処理システム。
【請求項２】
前記抽出する手段は、前記表示されたコメントに第２のメタ情報が所定数含まれているとき、前記第２のメタ情報を抽出することを特徴とする請求項１記載の情報処理システム。
【請求項３】
前記抽出する手段は、前記表示されたコメントに前記第２のメタ情報が２以上含まれるとき、抽出する前記第２のメタ情報の数を制限することを特徴とする請求項１又は２記載の情報処理システム。
【請求項４】
前記情報処理装置は、
所定のタイミングで、抽出する前記第２のメタ情報を変更する手段をさらに含むことを特徴とする請求項１から３の何れか１項に記載の情報処理システム。
【請求項５】
前記コメントは複数の放送局から放送される番組を視聴するユーザにより作成されるコメントであって、前記第２のメタ情報は前記番組に関連する情報であることを特徴とする請求項１から４の何れか１項に記載の情報処理システム。
【請求項６】
公衆によって利用可能なサーバ装置とネットワークを介して接続された情報処理装置であって、
ユーザにより作成され、分類のためのメタ情報が付加されたコメントを受信する手段と、
所定の第１のメタ情報が含まれる前記受信されたコメントを表示する手段と、
前記表示されたコメントに含まれる第２のメタ情報を抽出する手段と、
前記抽出された第２のメタ情報が含まれる新たなコメントを受信する手段と、
前記受信された新たなコメントを表示する手段と、
を含むことを特徴とする情報処理装置。
【請求項７】
前記抽出する手段は、前記表示されたコメントに第２のメタ情報が所定数含まれているとき、前記第２のメタ情報を抽出することを特徴とする請求項６記載の情報処理装置。
【請求項８】
前記抽出する手段は、前記表示されたコメントに前記第２のメタ情報が２以上含まれるとき、抽出する前記第２のメタ情報の数を制限することを特徴とする請求項６又は７記載の情報処理装置。
【請求項９】
所定のタイミングで、抽出する前記第２のメタ情報を変更する手段をさらに含むことを特徴とする請求項６から８の何れか１項に記載の情報処理装置。
【請求項１０】
前記コメントは複数の放送局から放送される番組を視聴するユーザにより作成されるコメントであって、前記第２のメタ情報は前記番組に関連する情報であることを特徴とする請求項６から９の何れか１項に記載の情報処理装置。
【請求項１１】
情報処理装置と公衆によって利用可能なサーバ装置とがネットワークを介して接続された情報処理システムの情報処理方法であって、
前記サーバ装置は、
ユーザにより作成され、分類のためのメタ情報が付加されたコメントを受信する工程と、
前記受信する工程により受信されたコメントを前記情報処理装置に送信する工程と、
を含み、
前記情報処理装置は、
前記コメントを受信する工程と、
所定の第１のメタ情報が含まれる前記受信されたコメントを表示する工程と、
前記表示する工程により表示されたコメントに含まれる第２のメタ情報を抽出する工程と、
前記抽出する工程により抽出された第２のメタ情報が含まれる新たなコメントを受信する工程と、
前記受信する工程により受信された新たなコメントを表示する工程と、
を含むことを特徴とする情報処理方法。
【請求項１２】
前記表示されたコメントに第２のメタ情報が所定数含まれているとき、前記第２のメタ情報を抽出することを特徴とする請求項１１記載の情報処理方法。
【請求項１３】
前記抽出する工程は、前記表示されたコメントに前記第２のメタ情報が２以上含まれるとき、抽出する前記第２のメタ情報の数を制限する工程を含むことを特徴とする請求項１１又は１２記載の情報処理方法。
【請求項１４】
所定のタイミングで、抽出する前記第２のメタ情報を変更する工程をさらに含むことを特徴とする請求項１１から１３の何れか１項に記載の情報処理方法。
【請求項１５】
前記コメントは複数の放送局から放送される番組を視聴するユーザにより作成されるコメントであって、前記第２のメタ情報は前記番組に関連する情報であることを特徴とする請求項１１から１４の何れか１項に記載の情報処理方法。
【請求項１６】
情報処理装置と公衆によって利用可能なサーバ装置とがネットワークを介して接続された情報処理システムに実行させるコンピュータにより読み取り可能なプログラムであって、
前記サーバ装置は、
ユーザにより作成され、分類のためのメタ情報が付加されたコメントを受信する処理と、
前記受信する処理により受信されたコメントを前記情報処理装置に送信する処理と、
を含み、
前記情報処理装置は、
前記コメントを受信する処理と、
所定の第１のメタ情報が含まれる前記受信されたコメントを表示する処理と、
前記表示する処理により表示されたコメントに含まれる第２のメタ情報を抽出する処理と、
前記抽出する処理により抽出された第２のメタ情報が含まれる新たなコメントを受信する処理と、
前記受信する処理により受信された新たなコメントを表示する処理と、
を含むことを特徴とするプログラム。
【請求項１７】
前記抽出する処理は、前記表示されたコメントに第２のメタ情報が所定数含まれているとき、前記第２のメタ情報を抽出する処理を含むことを特徴とする請求項１６記載のプログラム。
【請求項１８】
前記抽出する処理は、前記表示されたコメントに前記第２のメタ情報が２以上含まれるとき、抽出する前記第２のメタ情報の数を制限する処理を含むことを特徴とする請求項１６又は１７記載のプログラム。
【請求項１９】
所定のタイミングで、抽出する前記第２のメタ情報を変更する処理をさらに含むことを特徴とする請求項１６から１８の何れか１項に記載のプログラム。
【請求項２０】
前記コメントは複数の放送局から放送される番組を視聴するユーザにより作成されるコメントであって、前記第２のメタ情報は前記番組に関連する情報であることを特徴とする請求項１６から１９の何れか１項に記載のプログラム。
【発明の詳細な説明】
【技術分野】
【０００１】
本発明は、情報処理システム、情報処理装置、情報処理方法、及び、プログラムに関する。
【背景技術】
【０００２】
個々のユーザが「ツイート」（つぶやき）と称される短文を投稿し、閲覧できるコミュニケーション・サービスとして、公衆が利用可能なコミュニティサイトであるＴｗｉｔｔｅｒ（ツイッター（登録商標））の利用者が爆発的に増加している。このＴｗｉｔｔｅｒ（ツイッター）に投稿された書き込みの中には、現在放送されている番組（以下、「コンテンツ」ともいう。）を視聴している視聴者からのリアルタイムなコメントも多数存在する。
【０００３】
また、近年、テレビ番組を見ながらその感想などをコメントとして上記のＴｗｉｔｔｅｒ（ツイッター）でつぶやく視聴スタイルを楽しむ視聴者も急激に増加してきている。この視聴スタイルにより、視聴者は、ＴＶドラマやスポーツ中継などを他の視聴者からのコメントを通じて番組に関する話題を共有しながら楽しむことができる。そして、この視聴スタイルを、テレビ視聴・録画用ソフトウェアを搭載したパーソナルコンピュータ（ＰＣ）で実現する技術が本発明の出願人により既に開発されている（非特許文献１参照）。
【０００４】
また、上記のＴｗｉｔｔｅｒ（ツイッター）には、ツイート内容のキーワードや、要約した言葉の頭に「＃」をつけた文字列であるハッシュタグを用いて、ツイート内容のグループ化を可能にする機能が用意されている。そして、非特許文献１に係る技術には、上記のハッシュタグを利用した機能が用意されている。それは、放送局ごとに設定した特定のハッシュタグを使って、今見ている番組に関連したツイートの表示や投稿をしたり、ツイートが投稿された時点の場面を録画再生時にすばやく表示したりすることができる機能である。なお、放送局ごとに設定した特定のハッシュタグとは、例えば、放送局『ＭＨＫ』の場合、『＃ｍｈｋ』で表現される文字列である。
【先行技術文献】
【非特許文献】
【０００５】
【非特許文献１】「ＶＡＬＵＥＳＴＡＲ（登録商標）  テレビを楽しむ本」、ＮＥＣ、初版２０１２年４月、１７４頁〜１８８頁、インターネット＜URL:http://121ware.com/e‐manual/m/nx/ac/201205/etv/v1/mst/853_811064_186_a.pdf＞
【発明の概要】
【発明が解決しようとする課題】
【０００６】
ところで、上述した非特許文献１に係る技術においては、例えば放送局『ＭＨＫ』のハッシュタグ『＃ｍｈｋ』のような番組の属性を表す特定のメタ情報に基づいてこの放送局に関連するコメントが収集される。ここで、同局で放送される番組が多くの視聴者が注目する重大事件を報道するニュース番組などであれば、このニュース番組に関するコメントも多く収集される。しかし、将棋中継のような番組のように、特定のメタ情報を用いても、この番組に関連するコメントを中々収集することができない場合がある。このことは、従来のＴｗｉｔｔｅｒ（ツイッター）表示アプリにおいても同様であり、例えば、特定のハッシュタグでは、関連する話題を中々収集できないことがある。
【０００７】
この場合、異なるハッシュタグ間でコメントの収集量にばらつきが発生することとなり、コメントを多く収集できるハッシュタグの利用者は、そのコメントに関する話題を他の利用者と十分に共有することができるが、コメントをあまり収集できないハッシュタグの利用者は、そのコメントに関する話題を他の利用者と十分に共有することができないことになる。
【０００８】
本発明は、このような実情に鑑みてなされたものであって、コメントの収集量にばらつきが出ず、コメントに関する話題を他の利用者と十分に共有できる情報処理システムを提供することを目的とする。
【課題を解決するための手段】
【０００９】
上記の課題を解決するため、本発明の情報処理システムは、情報処理装置と公衆によって利用可能なサーバ装置とがネットワークを介して接続された情報処理システムであって、サーバ装置は、ユーザにより作成され、分類のためのメタ情報が付加されたコメントを受信する手段と、受信されたコメントを情報処理装置に送信する手段と、を含み、情報処理装置は、コメントを受信する手段と、所定の第１のメタ情報が含まれる受信されたコメントを表示する手段と、表示されたコメントに含まれる第２のメタ情報を抽出する手段と、抽出された第２のメタ情報が含まれる新たなコメントを受信する手段と、受信された新たなコメントを表示する手段と、を含むことを特徴とする。
【００１０】
また、上記の課題を解決するため、本発明の情報処理装置は、公衆によって利用可能なサーバ装置とネットワークを介して接続された情報処理装置であって、ユーザにより作成され、分類のためのメタ情報が付加されたコメントを受信する手段と、所定の第１のメタ情報が含まれる受信されたコメントを表示する手段と、表示されたコメントに含まれる第２のメタ情報を抽出する手段と、抽出された第２のメタ情報が含まれる新たなコメントを受信する手段と、受信された新たなコメントを表示する手段と、を含むことを特徴とする。
【００１１】
また、上記の課題を解決するため、本発明の情報処理方法は、情報処理装置と公衆によって利用可能なサーバ装置とがネットワークを介して接続された情報処理システムの情報処理方法であって、サーバ装置は、ユーザにより作成され、分類のためのメタ情報が付加されたコメントを受信する工程と、受信する工程により受信されたコメントを情報処理装置に送信する工程と、を含み、情報処理装置は、コメントを受信する工程と、所定の第１のメタ情報が含まれる受信されたコメントを表示する工程と、表示する工程により表示されたコメントに含まれる第２のメタ情報を抽出する工程と、抽出する工程により抽出された第２のメタ情報が含まれる新たなコメントを受信する工程と、受信する工程により受信された新たなコメントを表示する工程と、を含むことを特徴とする。
【００１２】
また、上記の課題を解決するため、本発明のプログラムは、情報処理装置と公衆によって利用可能なサーバ装置とがネットワークを介して接続された情報処理システムに実行させるコンピュータにより読み取り可能なプログラムであって、サーバ装置は、ユーザにより作成され、分類のためのメタ情報が付加されたコメントを受信する処理と、受信する処理により受信されたコメントを情報処理装置に送信する処理と、を含み、情報処理装置は、コメントを受信する処理と、所定の第１のメタ情報が含まれる受信されたコメントを表示する処理と、表示する処理により表示されたコメントに含まれる第２のメタ情報を抽出する処理と、抽出する処理により抽出された第２のメタ情報が含まれる新たなコメントを受信する処理と、受信する処理により受信された新たなコメントを表示する処理と、を含むことを特徴とする。
【発明の効果】
【００１３】
本発明によれば、コメントの収集量にばらつきが出ず、コメントに関する話題を他の利用者と十分に共有することができる。
【図面の簡単な説明】
【００１４】
【図１】本発明の実施形態の情報処理システムの概略構成図である。
【図２】本発明の実施形態の情報処理装置の機能ブロックである。
【図３】本発明の実施形態の情報処理システムにおいて、画面上に表示される番組とコメントの表示画面例である。
【図４】本発明の実施形態の情報処理手順を示すフローチャートである。
【発明を実施するための形態】
【００１５】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、特定のメタ情報により抽出したコメントに、前出のメタ情報とは別の新たなメタ情報が所定数以上含まれる場合に、この新たなメタ情報が含まれるコメントを受信して、これを表示することにより、コメントの収集量にばらつきが出ず、コメントに関する話題を他の利用者と十分に共有することが可能となるのである。
【００１６】
なお、以下では、本発明の実施形態の説明として、専らテレビ番組とＴｗｉｔｔｅｒ（ツイッター）をリンクさせた態様について説明しているが、本発明がこれに限定されるものではない。例えば、所定のＴｗｉｔｔｅｒ（ツイッター）表示アプリにおいて、特定のハッシュタグを利用してツイートを検索した結果、その特定のハッシュタグ（第１のメタ情報）では、関連するツイートを十分に収集できない場合、ツイートに含まれる別のハッシュタグ（第２のメタ情報）を利用することで、関連するツイートを収集する態様にも適用されるものとしてよい。
【００１７】
まず、図１を用いて本発明の実施形態における情報処理システムの構成について説明する。図１は、本発明の実施形態における情報処理システム１の構成を示す概略図である。図１を参照すると、本発明の実施形態における情報処理システム１は、パーソナルコンピュータ（ＰＣ）等の情報処理装置１０、及び２０、並びに携帯情報端末３０が、一般公衆が広く利用可能なネットワークであるインターネット４０を介してＴｗｉｔｔｅｒ（ツイッター）サーバ５０に接続され、互いにデータのやり取りを行っている。
【００１８】
そして、情報処理装置１０及び２０、並びに携帯情報端末３０の図示しないユーザは、放送局６０から放送されている所定の番組を視聴しており、興味関心のある番組に関するコメントを、インターネット４０を介してＴｗｉｔｔｅｒ（ツイッター）サーバ５０に投稿しているものとする。なお、図１中には、情報処理装置が２台と、情報携帯端末が１台記載されているが、これらの台数に限定されないものであることはいうまでも無い。なお、情報処理装置や携帯情報端末の他に、インターネット接続機能を備えたデジタル放送受信テレビジョンがインターネット４０に接続されるシステム構成であってもよい。
【００１９】
次に、本発明の実施形態における情報処理装置１０（２０）について図２を用いて説明する。図２は、本発明の実施形態における情報処理装置１０（２０）の構成を示す概略ブロック図である。図２において、情報処理装置１０（２０）は、放送局６０（図１）から送信される放送波を受信するチューナ１１と、チューナ１１により復調された番組（コンテンツ）を記録するコンテンツ記録部１２と、放送局６０から送信される電波の隙間を使って送信される電子番組ガイド（ＥＰＧ：Electronic Program Guide）を管理するＥＰＧ情報管理部１３と、液晶（ＬＣＤ：Liquid Crystal Display）等のディスプレイに番組を表示する動画表示管理部１４と、を含んで構成されている。
【００２０】
さらに、情報処理装置１０（２０）は、Ｔｗｉｔｔｅｒ（ツイッター）サーバ５０にインターネット４０（図１）を介して接続するためのネットワーク接続処理部１６と、情報処理装置１０（２０）を用いて番組を視聴しているユーザによって投稿されたコメントを、放送局を特定するハッシュタグ（第１のメタ情報）に基づいて収集し、収集されたコメントを、ＥＰＧ情報管理部１３から入力される電子番組ガイド情報に基づいて放送局６０毎に仕分けするコメント処理部１７と、収集されたコメントに、番組に関連する新たなハッシュタグ（第２のメタ情報）が含まれている場合、この新たなハッシュタグを抽出するメタ情報抽出部１８と、を含んで構成されている。そして、コメント処理部１７は、メタ情報抽出部１８により抽出された新たなハッシュタグをツイートの検索対象として、この新たなハッシュタグが含まれる新たなコメントを収集する。内部バス１９は、情報処理装置１０（２０）の上述した各構成部を電気的に接続し、各構成部間でのデータの移動に使用される。
【００２１】
なお、本実施形態において、第１のメタ情報を、放送局を特定するハッシュタグとして、また、第２のメタ情報を視聴する番組に関連する新たなハッシュタグとしているが、これらは、本実施形態におけるテレビ番組とＴｗｉｔｔｅｒ（ツイッター）をリンクさせた態様を説明する上での一例であり、本発明における第１のメタ情報を、放送局を特定するハッシュタグに限定し、第２のメタ情報を番組に関連する情報に限定する趣旨の記載ではない。ただし、本実施形態のように、電子番組ガイド情報から得られる情報との類似または一致を判断する手段を設けることで、より確かなコメントの情報収集が可能となるという効果が得られる。
【００２２】
次に、本発明の実施形態における情報処理装置１０（２０）のディスプレイの表示例について説明する。図３（ａ）は、本発明の実施形態における情報処理装置１０（２０）においてライブで放送されている番組の番組表示１１０、コメントとしてＴｗｉｔｔｅｒ（ツイッター）サーバ５０から収集されたツイートのツイート表示１２０（１３０、１４０）、及び新たにツイートを投稿するツイート投稿表示１５０で構成される表示画面１００である。ツイート投稿表示１５０は、視聴者が新たに投稿するツイートを入力するツイート入力表示部１５１と、入力したツイートの投稿を確定するツイート確定ボタン１５２で構成される。視聴者が、マウス等の操作によりツイート確定ボタン１５２を操作して、ツイートの投稿を確定すると、インターネット４０を介してＴｗｉｔｔｅｒ（ツイッター）サーバ５０へツイートが送信される。
【００２３】
図３（ａ）に表すように、例えば、表示画面１００の左上に、番組表示１１０として現在放送中の将棋中継が表示（放映）されている。そして、番組表示１１０の右隣には、インターネット４０を介してＴｗｉｔｔｅｒ（ツイッター）サーバ５０から受信した、将棋番組を視聴する他の視聴者からのツイートを表示するツイート表示１２０（１３０、１４０）が表示されている。ここでは、ツイート表示１２０として『＃ｍｈｋ_ｍｈｋ杯、誰が優勝？』と、ツイート表示１３０として『＃ｍｈｋ_土生さんじゃないか？』と、ツイート表示１４０として『＃ｍｈｋ_いや渡部さんだろ。＃龍王』が表示されている。
【００２４】
ここで、ツイート表示１４０の『＃ｍｈｋ_いや渡部さんだろ。＃龍王』には、新たなハッシュタグ（第２のメタ情報）として『＃龍王』が表示されていることがわかる。メタ情報抽出部１８は、この新たなハッシュタグが所定数（閾値）以上含まれている場合、この新たなハッシュタグを抽出する。そして、コメント処理部１７は、予め設定されたルールに則り、メタ情報抽出部１８により抽出された新たなハッシュタグ『＃龍王』をツイートの検索対象に加え、新たなハッシュタグ『＃龍王』が含まれる新たなツイートを収集する。
【００２５】
ここで、予め設定されたルールとは、例えば『＃ｍｈｋ』の放送局タグ（第１のメタ情報）による検索結果のツイート数が３０件に満たない場合に、新たなハッシュタグ（第２のメタ情報）である『＃龍王』タグが検索結果のツイートの半数以上に含まれる場合に、新たなハッシュタグもツイートの検索対象とする、等のルールをいう。
【００２６】
ここで、新たなハッシュタグの抽出条件として、上述には『所定数（閾値）以上含まれている場合』としているが、所定数（閾値）が特定の数値に限定される必要は無く、情報処理装置等を使用する視聴者の設定で任意に変更できるものとしてよい。例えば、新たなハッシュタグが１つでも含まれている場合に、この新たなハッシュタグが含まれる新たなツイートを収集してもよい。
【００２７】
一方で、或る程度の制限を設けないと、番組の内容とはあまりにもかけ離れたツイートが表示される可能性がある。このため、例えば、放送局を特定するハッシュタグで収集されたツイートの中に新たなハッシュタグが１０以上含まれている場合や、あるいは、放送局を特定するハッシュタグで収集された全てのツイートの内、新たなハッシュタグが５０％以上含まれている場合に、新たなハッシュタグが含まれる新たなツイートを収集することとしてもよい。
【００２８】
また、検索されるツイート数が多すぎることも好ましくない。かかる場合は、例えば、ツイートの検索結果が所定数を超えた場合、『新たなハッシュタグを検索対象に追加しない』、『追加した新たなハッシュタグを検索対象から外す』などの処理が必要になる。例えば、上述の例で言えば、『＃ＭＨＫ』タグにより検索された検索結果５件中４件に『＃龍王』タグが含まれ、検索結果５件中３件に『＃将棋』タグが含まれ、これらを新たなハッシュタグとして検索対象に追加したとする。この場合に、検索結果のツイート数が３００件を超えてしまうことは、情報の閲覧性を損ねることとなり、ユーザにとって好ましくない。この場合、ツイートの収集量のばらつきを低減する手段として、例えば『＃将棋』タグを検索対象から外す、つまり検索対象とするハッシュタグ（第２のメタ情報）の数を制限することでツイート数を適切に調整することが可能となる。
【００２９】
続いて、コメント処理部１７により、新たなハッシュタグ『＃龍王』がツイートの検索対象に加えられ、検索の結果、新たなハッシュタグ『＃龍王』が含まれる新たなツイートが収集されて、表示画面１００に表示される例を図３（ｂ）で説明する。
【００３０】
図３（ｂ）に示すように、ここでは、新たなハッシュタグ『＃龍王』が含まれる新たなツイート表示１６０として『＃龍王_今度の龍王戦が楽しみ。』が表示されていることがわかる。なお、本発明は、上述した表示画面１００の表示態様や、図示された各表示部の大きさに限定されず、動画表示管理部１４により任意のサイズに調整することが可能であることはいうまでもない。
【００３１】
次に、本発明の実施形態における情報処理装置１０（２０）の動作について説明する。図４は、本発明の実施形態における情報処理装置１０（２０）の動作について説明するフローチャートである。以下では、情報処理装置１０を例に、さらに上述した将棋番組の事例に基づいて説明する。
【００３２】
まず、放送局６０からチューナ１１を介して『将棋番組』を受信する（ステップＳ１）。次に、視聴者は、受信した『将棋番組』を不図示の選局部を介して選局し、動画表示管理部１４によりディスプレイに映し出された『将棋番組』を視聴する（ステップＳ２）。さらに、コメント処理部１７は、ネットワーク接続処理部１６を介し、インターネット４０を通じてＴｗｉｔｔｅｒ（ツイッター）サーバ５０から、放送局を特定するハッシュタグ『＃ｍｈｋ』に基づいて、『将棋番組』の他の視聴者のツイートを収集する（ステップＳ３）。
【００３３】
次に、動画表示管理部１４は、視聴者によるツイート表示機能の開始指示を受けて、コメント処理部１７により収集された他の視聴者のツイートを別ウインドウ（ツイート表示１２０、ツイート表示１３０、ツイート表示１４０）で表示する（ステップＳ４）。
【００３４】
続いて、メタ情報抽出部１８は、コメント処理部１７により収集されたツイート中に、放送局のハッシュタグ以外で『将棋番組』に関連するハッシュタグが含まれると判断した場合（ステップＳ５、Ｙｅｓ）、これを抽出し、関連するハッシュタグをツイートの検索対象に追加する（ステップＳ６）。ここでは、ツイート表示１４０『＃ｍｈｋ_いや渡部さんだろ。＃龍王』から、番組に関連するハッシュタグとして『＃龍王』を抽出し、これを新たなツイートの検索対象に加える。
【００３５】
その後、コメント処理部１７により新たなハッシュタグ『＃龍王』で収集されたツイートが、ツイート表示１６０『＃龍王_今度の龍王戦が楽しみ。』として、動画表示管理部１４によりディスプレイに表示される。
【００３６】
一方、ステップＳ５において、メタ情報抽出部１８が、コメント処理部１７により収集されたツイート中に、関連するハッシュタグが含まれないと判断した場合（ステップＳ５、Ｎｏ）、コメント処理部１７により、そのまま放送局のハッシュタグでツイートが収集され、番組終了と共に処理を終了する（ＥＮＤ）。
【００３７】
なお、新たなハッシュタグを検索対象とする場合、その更新タイミングについて考慮する必要が考えられる。例えば、本実施形態のように、放送番組に関連したハッシュタグに基づいてツイートを収集する場合、番組の切り替わり時に、それまで検索対象であったハッシュタグを、それ以降に放送される番組に対応したハッシュタグに更新（変更）する必要がある。例えば、将棋番組が終了して、次にドラマが放送されているにも関わらず、『＃将棋』タグを検索対象としておくのは適当でない。よって、この場合、番組の切り替わりタイミングで検索対象とするハッシュタグを更新する手段を設けておくことが望ましい。なお、本発明において『所定のタイミング』とは、例えば、上述したような番組の切り替わりタイミングをいう、また、本発明において『所定のタイミング』とは、放送番組に関連したハッシュタグに限定されず、例えばインターネット等を通じて提供される情報があるキャンペーン期間中に提供されるものである場合に、そのキャンペーン期間へ移行するタイミングであってもよい。
【００３８】
このように、視聴者は、放送局のハッシュタグのように特定のメタ情報では収集できないが、視聴番組に関連するツイートを収集できるので、番組間でコメントの収集量にばらつきが出ず、どの番組を視聴する視聴者についても、他の視聴者と番組に関する話題を共有しながら番組を楽しむことができる。
【００３９】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【００４０】
また、上述した本実施形態では、専ら番組の放送中に、ほぼリアルタイムで関連するツイートを、インターネットを通じてサーバから収集する態様を説明したが、本発明はこれに限定されない。例えば、コンテンツ記録部１２に記録された番組の記録（録画）とともに、その記録時に、インターネットから収集したツイートを記録しておき、記録された番組の再生時に、ツイート表示機能を働かせて、予め記録しておいた、番組に関連するツイートを表示させる態様に適用されるものであってよい。
【符号の説明】
【００４１】
１    情報処理システム
１０、２０    情報処理装置
１１    チューナ
１２    コンテンツ記録部
１３    ＥＰＧ情報管理部
１４    動画表示管理部
１６    ネットワーク接続処理部
１７    コメント処理部
１８    メタ情報抽出部
１９    内部バス
３０    携帯情報端末
４０    インターネット
５０    Ｔｗｉｔｔｅｒ（ツイッター）サーバ
６０    放送局
１００    表示画面
１１０    番組表示
１２０、１３０、１４０、１６０    ツイート表示
１５０    ツイート投稿表示
１５１    ツイート入力表示部
１５２    ツイート確定ボタン
【図１】
2014175902.tif 000003
【図２】
2014175902.tif 000004
【図３】
2014175902.tif 000005
【図４】
2014175902.tif 000006